(57)【要約】  【課題】  良好な音質の音響発生器およびこれを備えた音響発生装置、電子機器を提供する。  【解決手段】  本発明の音響発生器１は、励振器としての圧電素子１１と、圧電素子１１が取り付けられており、圧電素子１１が取り付けられており、圧電素子１１の振動によって圧電素子１１とともに振動する振動板１２と、振動板１２の外周部に接合されて振動板１２を支持する枠体１３とを備えた音響発生器であって、枠体１３は、周方向において複数個の枠部材に分割され、互いに接合されてなる。【選択図】  図１
2015185967.tif 000002
【特許請求の範囲】
【請求項１】
励振器と、該励振器が取り付けられており、該励振器の振動によって該励振器とともに振動する振動板と、該振動板の外周部に接合されて前記振動板を支持する枠体とを備えた音響発生器であって、
前記枠体は、周方向において複数個の枠部材が互いに接合されてなることを特徴とする音響発生器。
【請求項２】
前記枠体は長方形状であることを特徴とする請求項１に記載の音響発生器。
【請求項３】
前記複数個の枠部材がそれぞれ前記長方形状の前記枠体の各辺を構成しており、前記長方形状の角部において隣り合う２つの枠部材が接合されていることを特徴とする請求項２に記載の音響発生器。
【請求項４】
前記枠体は、前記振動板の一方主面の外周部に沿って配置された一方主面側枠部材と、前記振動板の他方主面の外周部に沿って配置された他方主面側枠部材とを含み、
前記振動板の前記一方主面に垂直な方向から見て、前記一方主面側枠部材の接合部位と前記他方主面側枠部材の接合部位とが異なっていることを特徴とする請求項１乃至請求項３のうちのいずれかに記載の音響発生器。
【請求項５】
前記枠体はガラスからなることを特徴とする請求項１乃至請求項４のうちのいずれかに記載の音響発生器。
【請求項６】
前記枠体は金属からなることを特徴とする請求項１乃至請求項４のうちのいずれかに記載の音響発生器。
【請求項７】
前記枠体は樹脂からなることを特徴とする請求項１乃至請求項４のうちのいずれかに記載の音響発生器。
【請求項８】
請求項１〜７のうちのいずれかに記載の音響発生器と、
該音響発生器を収容する筐体とを備えることを特徴とする音響発生装置。
【請求項９】
請求項１〜７のうちのいずれかに記載の音響発生器と、
該音響発生器に接続された電子回路と、
該電子回路および前記音響発生器を収容する筐体とを備え、
前記音響発生器から音響を発生させる機能を有することを特徴とする電子機器。
【発明の詳細な説明】
【技術分野】
【０００１】
本発明は、音響発生器およびこれを備えた音響発生装置、電子機器に関するものである。
【背景技術】
【０００２】
従来、圧電スピーカーに代表される音響発生器は、小型で薄型のスピーカーとして利用できることが知られている。かかる音響発生器は、携帯電話機や薄型テレビなどをはじめとする電子機器に組み込まれて使用されている。
【０００３】
このような音響発生器としては、例えば枠体と、枠体に設置された振動板と、その振動板上に圧電素子を備えたものが知られている（例えば、特許文献１を参照）。
【先行技術文献】
【特許文献】
【０００４】
【特許文献１】特開２０１３−１６２１４１号公報
【発明の概要】
【発明が解決しようとする課題】
【０００５】
音響発生器では、さらなる音質の向上が求められている。
【０００６】
本発明は、上記の問題点に鑑みて案出なされたものであり、良好な音質の音響発生器およびこれを備えた音響発生装置、電子機器を提供することを目的とする。
【課題を解決するための手段】
【０００７】
本発明の音響発生器は、励振器と、該励振器が取り付けられており、該励振器の振動によって該励振器とともに振動する振動板と、該振動板の外周部に接合されて前記振動板を支持する枠体とを備えた音響発生器であって、前記枠体は、周方向において複数個の枠部材が互いに接合されてなることを特徴とする。
【０００８】
また本発明の音響発生器は、上記の構成において、前記枠体が長方形状であることを特徴とする。
【０００９】
また本発明の音響発生器は、上記の構成において、前記複数個の枠部材がそれぞれ前記長方形状の前記枠体の各辺を構成しており、前記長方形状の角部において隣り合う２つの枠部材が接合されていることを特徴とする。
【００１０】
また本発明の音響発生器は、前記枠体が、前記振動板の一方主面の外周部に沿って配置された一方主面側枠部材と、前記振動板の他方主面の外周部に沿って配置された他方主面側枠部材とを含み、前記振動板の前記一方主面に垂直な方向から見て、前記一方主面側枠部材の接合部位と前記他方主面側枠部材の接合部位とが異なっていることを特徴とする。
【００１１】
また本発明の音響発生器は、上記の構成において、前記枠体がガラスからなることを特徴とする。
【００１２】
また本発明の音響発生器は、上記の構成において、前記枠体が金属からなることを特徴とする。
【００１３】
また本発明の音響発生器は、上記の構成において、前記枠体が樹脂からなることを特徴とする。
【００１４】
また本発明の音響発生装置は、上記の構成の音響発生器と、該音響発生器を収容する筐体とを備えることを特徴とする。
【００１５】
また本発明の電子機器は、上記の構成における音響発生器と、該音響発生器に接続された電子回路と、該電子回路および前記音響発生器を収容する筐体とを備え、前記音響発生器から音響を発生させる機能を有する電子機器であることを特徴とする。
【発明の効果】
【００１６】
本発明によれば、音響発生器の音質を向上させることができる。
【図面の簡単な説明】
【００１７】
【図１】（ａ）は本発明の音響発生器の実施の形態の一例を示す概略平面図であり、（ｂ）は（ａ）に示すＡ−Ａ線概略断面図である。
【図２】（ａ）は本発明の音響発生器の実施の形態の他の例を示す概略平面図であり、（ｂ）は（ａ）に示す他方主面側枠部材の概略平面図、（ｃ）は（ａ）に示すＡ−Ａ線概略断面図である。
【図３】図１および図２に示す圧電素子の概略断面図である。
【図４】（ａ）は本発明の音響発生器の実施の形態の他の例を示す概略平面図であり、（ｂ）は（ａ）に示す他方主面側枠部材の概略平面図、（ｃ）は（ａ）に示すＡ−Ａ線概略断面図である。
【図５】（ａ）は本発明の音響発生器の実施の形態の他の例を示す概略平面図であり、（ｂ）は（ａ）に示す他方主面側枠部材の概略平面図、（ｃ）は（ａ）に示すＡ−Ａ線概略断面図である。
【図６】（ａ）は本発明の音響発生器の実施の形態の他の例を示す概略平面図であり、（ｂ）は（ａ）に示す他方主面側枠部材の概略平面図、（ｃ）は（ａ）に示すＡ−Ａ線概略断面図である。
【図７】（ａ）は本発明の音響発生器の実施の形態の他の例を示す概略平面図であり、（ｂ）は（ａ）に示す他方主面側枠部材の概略平面図、（ｃ）は（ａ）に示すＡ−Ａ線概略断面図である。
【図８】本発明の音響発生装置の実施の形態の構成を示す図である。
【図９】本発明の電子機器の実施の形態の構成を示す図である。
【発明を実施するための形態】
【００１８】
以下、本発明の音響発生器の実施形態の一例について、図面を参照して説明する。
【００１９】
図１（ａ）は本発明の音響発生器の実施の形態の一例を示す概略平面図であり、図１（ｂ）は図１（ａ）に示すＡ−Ａ線概略断面図である。また、図２（ａ）は本発明の音響発生器の実施の形態の他の例を示す概略平面図であり、図２（ｂ）は図２（ａ）に示す他方主面側枠部材の概略平面図、図２（ｃ）は図２（ａ）に示すＡ−Ａ線概略断面図である。なお、他方主面側枠部材の概略平面図とは、一方主面側枠部材、振動板、樹脂層および配線部材を除いた状態の他方主面側枠部材を一方主面側（上方）から見た概略平面図である。
【００２０】
図１および図２に示す例の音響発生器１は、励振器としての圧電素子１１と、圧電素子１１が取り付けられており、圧電素子１１の振動によって圧電素子１１とともに振動する振動板１２と、振動板１２の外周部に接合されて振動板１２を支持する枠体１３とを備えた音響発生器であって、枠体１３は、周方向において複数個の枠部材が互いに接合されて
なる。
【００２１】
音響発生器１を構成する励振器としては、例えば板状の圧電素子１１が用いられる。この圧電素子１１は、振動板１２の表面に貼り付けられるなどして取り付けられ、電圧の印加を受けて振動することによって振動板１２を励振させる。励振器として圧電素子１１を用いた場合の構成としては、例えば、図３に示すように、４層のセラミックスからなる圧電体層１１ａ、１１ｂ、１１ｃ、１１ｄと、３層の内部電極層１１ｅが交互に積層された積層体と、かかる積層体の上面および下面に形成された表面電極層１１ｆ、１１ｇと、内部電極層１１ｅが導出された側面に形成された外部電極１１ｈ、１１ｉとを備える。
【００２２】
圧電素子１１を構成する圧電体層は圧電特性を有するセラミックスで形成されたもので、このようなセラミックスとして、チタン酸ジルコン酸鉛（lead  zirconate  titanate
）、ニオブ酸リチウム、タンタル酸リチウム、Ｂｉ層状化合物、タングステンブロンズ構造化合物等の非鉛系圧電体材料等、従来から用いられている圧電セラミックスを用いることができる。圧電体層の１層の厚みは、低電圧で駆動させるために、例えば０．０１〜０．１ｍｍに設定することが好ましい。また、大きな屈曲振動を得るために、２００ｐｍ／Ｖ以上の圧電定数ｄ３１を有することが好ましい。
【００２３】
また、圧電素子１１を構成する内部電極層１１ｅは、圧電体層を形成するセラミックスと同時焼成により形成されたもので、第１の内部電極層および第２の内部電極層からなる。圧電体層１１ａ、１１ｂ、１１ｃ、１１ｄと交互に積層されて圧電体層１１ａ、１１ｂ、１１ｃ、１１ｄを上下から挟んでおり、積層順に第１の内部電極層および第２の内部電極層が配置されることにより、それらの間に挟まれた圧電体層１１ａ、１１ｂ、１１ｃ、１１ｄに駆動電圧を印加するものである。内部電極層１１ｅを形成する材料としては、種々の金属材料を用いることができる。例えば、圧電セラミックスとの反応性が低い銀や銀−パラジウム合金を主成分とする導体、あるいは銅、白金などを含む導体を用いることができるが、これらにセラミック成分やガラス成分を含有させてもよい。なお、銀とパラジウムとからなる金属成分と、圧電体層１１ａ、１１ｂ、１１ｃ、１１ｄを構成するセラミック成分とを含有した材料で内部電極層１１ｅを構成した場合、圧電体層１１ａ、１１ｂ、１１ｃ、１１ｄと内部電極層１１ｅとの熱膨張差による応力を低減することができるので、積層不良のない圧電素子１１を得ることができる。
【００２４】
励振器としては、例えば上面側および下面側の主面が長方形状または正方形状といった多角形の形状、あるいは円形または楕円形といった形状をなしている板状体からなる圧電素子１１が好ましく、このような圧電素子１１および後述の振動板１２と枠体１３を用いることにより、音響発生器１を薄型にすることができる。
【００２５】
さらに、圧電素子１１をバイモルフ構造とするのが好ましい。すなわち、ある瞬間に加えられる電界の向きに対する分極の向きが厚み方向における一方側と他方側とで逆転するように分極されているのが好ましい。薄型化に貢献するとともに、少ないエネルギーで効率よく振動板１２を振動できるため、高音量の音響発生器１とすることができる。
【００２６】
音響発生器１を構成する振動板１２は、樹脂や金属等の種々の材料を用いて形成することができる。例えば、厚さ１０〜２００μｍのポリエチレン、ポリイミド等の樹脂フィルムで振動板１２を構成することができる。
【００２７】
この振動板１２には、励振器としての圧電素子１１が取り付けられている。具体的には、圧電素子１１の主面がエポキシ系樹脂等の接着剤により振動板１２の主面に接合されている。
【００２８】
そして、励振器（圧電素子１１）の振動によって、振動板１２は励振器（圧電素子１１）とともに振動するようになっている。例えば、圧電素子１１がバイモルフ構造の圧電素子である場合において、外部電極に配線部材１５が接続され、この配線部材１５を介して圧電素子１１に電気信号が入力されると（電圧が印加されると）、ある瞬間において、振動板１２に接着された側（圧電素子１１の下面側）の圧電体層は縮み、圧電素子１１の上面側の圧電体層は延びるように変形し、振動板１２側へ屈曲する。したがって、圧電素子１１に交流信号を与えることにより、圧電素子１１が屈曲振動し、振動板１２に屈曲振動を与えることができる。なお、配線部材１５としては、リード線、例えば銅またはアルミニウムなどの金属箔を樹脂フィルムで挟んだフレキシブル基板（ＦＰＣ）、金属板等が用いられるが、フレキシブル基板を用いることが音響発生器１の薄型化、低背化に有利である。
【００２９】
そして、振動板１２の外周部を支持するように枠体１３が設けられている。枠体１３としては、例えば内周形状および外周形状が矩形である枠部材を用いることができる。図１に示す例では、枠体１３は振動板１２の一方主面側のみに設けられた枠部材１３１からなり、これに振動板１２の外周部が貼り付けられて音響発生器１が構成されている。一方、図２に示す例では、枠体１３は一方主面側に設けられた一方主面側枠部材１３１と他方主面側に設けられた他方主面側枠部材１３２とからなり、振動板１２の外周部を挟み込んで振動板３を支持する。振動板の外周部が枠体１３を構成する一方主面側枠部材１３１と他方主面側枠部材１３２とに挟まれて固定されている。このようにして、振動板１２は枠体１３の枠内に張った状態で枠体１３に支持されている。なお、図１における振動板１２のうち枠体１３よりも内側に位置する部分、図２における振動板１２のうち枠体１３の構成する一方主面側枠部材１３１と他方主面側枠部材１３２とに挟まれていない部分は、自由に振動することができるようになっている。
【００３０】
枠体１３を構成する一方主面側枠部材１３１、他方主面側枠部材１３２の厚みや材質などは、特に限定されるものではない。枠体１３を構成する一方主面側枠部材１３１、他方主面側枠部材１３２の厚さとしては、例えば１００〜５０００μｍのものを採用することができる。また、枠体１３を構成する一方主面側枠部材１３１、他方主面側枠部材１３２の材質としては、例えばガラスや金属や樹脂など種々の材料を用いることができる。ガラスの場合は、機械的強度があるため、一方主面側枠部材１３１、他方主面側枠部材１３２の変形が小さく、音質が安定する。また、金属の場合は、ガラスよりも剛性が小さくなり、共振ピークとディップとの差が更に分散され、周波数特性を平坦化することができる。よって、音圧の平坦化による音質の向上を図ることができる。また、樹脂の場合は、金属よりも更に剛性が小さくなり、共振ピークとディップとの差が分散され、周波数特性を平坦化することができる。よって、音圧の平坦化による音質の向上を図ることができる。
【００３１】
なお、図１および図２には、枠体１３が長方形状であり、その内側の領域の形状が長方形状である例を示しているが、縦横比が１よりも大きいことで、共振の分散に寄与し、ピーク／ディップの平坦化に寄与することができる。ただし、正方形、平行四辺形、台形および正ｎ角形といった多角形であってもよく、円形や楕円形であってもよい。
【００３２】
また、音響発生器１は、枠体１３の枠内において圧電素子１１および振動板１２の表面を覆うように設けられて、圧電素子１１および振動板１２とともに振動する樹脂層１４をさらに備えてもよい。
【００３３】
樹脂層１４は、たとえば、アクリル系樹脂を用いてヤング率が例えば１ＭＰａ〜１ＧＰａの範囲となるように形成されることが好ましい。この樹脂層１４は必ずしも圧電素子１１の表面を覆うまでに設けられていなくてもよいが、圧電素子１１の表面を覆うまでに設けられる（樹脂層１４に圧電素子１１が埋設される）ことで、適度なダンピング効果を誘
発させることができるので、共振現象を抑制して、音圧の周波数特性におけるピークやディップを小さく抑えることができる。図においては、樹脂層１４が枠体１３と同じ高さとなるように形成された状態を示しているが、樹脂層１４が枠体１３２の高さよりも高くなるように形成されてもよい。
【００３４】
なお、図では励振器（圧電素子１１）が１個の場合を例示しているが、励振器（圧電素子１１）の個数を限定するものではない。また、図では振動板１２の一方の主面に圧電素子１１を設けた場合を示しているが、振動板１２の両面に圧電素子１１が設けられてもよい。また、圧電素子１１として、バイモルフ型の積層型の圧電素子を例に挙げたが、ユニモルフ型の圧電素子（伸縮する積層型の圧電素）であっても構わない。
【００３５】
そして、本実施形態の音響発生器１は、枠体１３は、周方向において複数個の枠部材に分割され、互いに接合されている。
【００３６】
具体的には、図１に示す枠体１３（一方主面側枠部材１３１）は、周方向に一方主面側第１枠部材１３１１、一方主面側第２枠部材１３１２、一方主面側第３枠部材１３１３および一方主面側第４枠部材１３１４の４個の枠部材が接合部Ｂにおいて互いに接合されて構成されている。
【００３７】
また、図２に示す枠体１３（一方主面側枠部材１３１および他方主面側枠部材１３２）は、一方主面側枠部材１３１が図１に示す形態と同様に、周方向に一方主面側第１枠部材１３１１、一方主面側第２枠部材１３１２、一方主面側第３枠部材１３１３および一方主面側第４枠部材１３１４の４個の枠部材が接合部Ｂにおいて互いに接合されて構成されている。また、他方主面側枠部材１３２が、周方向に他方主面側第１枠部材１３２１、他方主面側第２枠部材１３２２、他方主面側第３枠部材１３３３および他方主面側第４枠部材１３４４の４個の枠部材が接合部Ｂにおいて互いに接合されて構成されている。
【００３８】
接合部Ｂでは、例えばエポキシ系熱硬化樹脂、ＵＶ樹脂、嫌気性ＵＶ樹脂、瞬間接着剤等の接着剤を用いて、隣り合う２つの枠部材が接合されている。
【００３９】
このように、枠体１３（一方主面側枠部材１３１および他方主面側枠部材１３２）を周方向に複数個ある構成として互いに接合させることにより、周方向にいくつかの接合部Ｂが存在することになる。一体の枠体を使用する場合には、共振が強く発現して、ピーク／ディップ（周囲よりも音圧が高い/低い部分）が大きくなることがあるのに対し、枠体を
周方向に複数個ある構成として互いに接合させる場合には、一体の枠体と比較し、共振が分散され、ピーク／ディップが平坦化されることにより、音質が良くなる。
【００４０】
ここで、図１に示すように、枠体１３である一方主面側枠部材１３１が長方形状の場合において、一方主面側枠部材１３１を構成する複数個の枠部材（一方主面側第１枠部材１３１１、一方主面側第２枠部材１３１２、一方主面側第３枠部材１３１３および一方主面側第４枠部材１３１４）がそれぞれ長方形状の枠体１３（一方主面側枠部材１３１）の各辺を構成しており、長方形状の角部において複数個の枠部材（一方主面側第１枠部材１３１１、一方主面側第２枠部材１３１２、一方主面側第３枠部材１３１３および一方主面側第４枠部材１３１４）のうちの隣り合う２つの枠部材が接合されているのが好ましい。なお、ここでいう角部とは、接合部Ｂが少なくとも内側の角部から外側の角部もしくは外側の辺に垂直な方向に向かって延びるような領域のことを意味している。
【００４１】
また、図２に示すように、枠体１３である一方主面側枠部材１３１および他方主面側枠部材１３２が長方形状の場合において、一方主面側枠部材１３１を構成する複数個の枠部材（一方主面側第１枠部材１３１１、一方主面側第２枠部材１３１２、一方主面側第３枠
部材１３１３および一方主面側第４枠部材１３１４）がそれぞれ長方形状の枠体１３（一方主面側枠部材１３１）の各辺を構成しており、長方形状の角部において複数個の枠部材（一方主面側第１枠部材１３１１、一方主面側第２枠部材１３１２、一方主面側第３枠部材１３１３および一方主面側第４枠部材１３１４）のうちの隣り合う２つの枠部材が接合されており、他方主面側枠部材１３２を構成する複数個の枠部材（他方主面側第１枠部材１３２１、他方主面側第２枠部材１３２２、他方主面側第３枠部材１３２３および他方主面側第４枠部材１３２４）がそれぞれ長方形状の枠体１３（他方主面側枠部材１３２）の各辺を構成しており、長方形状の角部において複数個の枠部材（他方主面側第１枠部材１３２１、他方主面側第２枠部材１３２２、他方主面側第３枠部材１３２３および他方主面側第４枠部材１３２４）のうちの隣り合う２つの枠部材が接合されているのが好ましい。
【００４２】
隣り合う２つの枠部材の接合部Ｂを長方形状の枠体１３（一方主面側枠部材１３１、他方主面側枠部材１３２）の角部に設けることで、枠体１３の変形が小さくなり、良好な音質を確保しつつ音質が安定する。
【００４３】
なお、枠体２は４個の枠部材から構成することが好ましいが、これに限るものではない。図４に示すように、周方向に２個の枠部材（一方主面側第１枠部材１３１１、一方主面側第２枠部材１３１２、他方主面側第１枠部材１３２１、他方主面側第２枠部材１３２２）のように組み合わせたものであってもよく、図示しないが３個のものでも構わない。
【００４４】
また、図５〜図７に示すように、枠体が、前記振動板の一方主面の外周部に沿って配置された一方主面側枠部材と、前記振動板の他方主面の外周部に沿って配置された他方主面側枠部材とを含み、前記振動板の前記一方主面に垂直な方向から見て、前記一方主面側枠部材の接合部位と前記他方主面側枠部材の接合部位とが異なっているのが好ましい。
【００４５】
なお、図５に示す形態は、一方主面側枠部材１３１と他方主面側枠部材１３２とがそれぞれ４個の部材で構成され、それぞれの部材の一方の端面が隣の部材の側面に接合されていて、それぞれの接合部位が一方主面側枠部材１３１と他方主面側枠部材１３２とで異なっているものである。また、図６に示す形態は、一方主面側枠部材１３１と他方主面側枠部材１３２とがそれぞれ４個の部材で構成され、一対の部材の両端面が隣の部材の側面に接合されていて、それぞれの接合部位が一方主面側枠部材１３１と他方主面側枠部材１３２とで異なっているものである。また、図７に示す形態は、一方主面側枠部材１３１がそれぞれ斜めにカットされた両端面を有する４個の部材で構成され、それぞれの部材の端面が隣の部材の端面に接合されていて、他方主面側枠部材１３２がそれぞれ４個の部材で構成され、それぞれの部材の一方の端面が隣の部材の側面に接合されていて、それぞれの接合部位が一方主面側枠部材１３１と他方主面側枠部材１３２とで異なっているものである。
【００４６】
なお、接合部位としては、図示したような長方形状の角部に限らず、辺の中央にあってもよい。
【００４７】
このように、一方主面側枠部材１３１の接合部位と他方主面側枠部材１３２の接合部位とを異ならせることで、枠体１３の変形が小さくなり、音質が安定するようになる。
【００４８】
次に、本発明の音響発生装置の実施の形態の一例について説明する。
【００４９】
音響発生装置２０は、いわゆるスピーカーのような発音装置であり、図８に示すように、たとえば、音響発生器１と、音響発生器１を収容する筐体３０を備える。筐体３０は、音響発生器１の発する音響を内部で共鳴させるとともに、筐体３０に形成された図示せぬ開口から音響を外部へ放射する。この筐体３０は、例えば、アルミニウムやマグネシウム
合金などの金属、ポリカーボネートなどの樹脂、木材など、種々の材料を用いて形成することができる。このような筐体３０を有することにより、たとえば低周波数帯域における音圧を高めることができる。
【００５０】
かかる音響発生装置２０は、スピーカーとして単独で用いることができる他、後述するように、携帯端末や薄型テレビ、あるいはタブレット端末などへ好適に組み込むことが可能である。また、冷蔵庫、電子レンジ、掃除機、洗濯機などのように、従来、音質については重視されなかった家電製品に組み込むこともできる。
【００５１】
次に、音響発生器を搭載した電子機器について、図９を用いて説明する。図９は、実施形態に係る電子機器５０の構成を示す図である。なお、図には、説明に必要となる構成要素のみを示しており、一般的な構成要素についての記載を省略している。
【００５２】
図９に示すように、本例の電子機器５０は、音響発生器１と、音響発生器１に接続された電子回路６０と、電子回路６０および音響発生器１を収容する筐体４０とを備え、音響発生器１から音響を発生させる機能を有する。図９に示す例では、電子機器５０が、携帯電話やタブレット端末のような携帯端末装置であるものとする。
【００５３】
図９に示すように、電子機器５０は、電子回路６０を備える。電子回路６０は、たとえば、コントローラ５０ａと、送受信部５０ｂと、キー入力部５０ｃと、マイク入力部５０ｄとから構成される。電子回路６０は、音響発生器１に接続されており、音響発生器１へ音声信号を出力する機能を有している。音響発生器１は電子回路６０から入力された音声信号に基づいて音響を発生させる。
【００５４】
また、電子機器５０は、表示部５０ｅと、アンテナ５０ｆと、音響発生器１とを備え、これら各デバイスを収容する筐体４０を備える。なお、図９では、１つの筐体４０にコントローラ５０ａをはじめとする各デバイスがすべて収容されている状態をあらわしているが、各デバイスの収容形態を限定するものではない。本実施形態では、少なくとも電子回路６０と音響発生器１とが、１つの筐体４０に収容されていればよい。
【００５５】
コントローラ５０ａは、電子機器５０の制御部である。送受信部５０ｂは、コントローラ５０ａの制御に基づき、アンテナ５０ｆを介してデータの送受信などを行う。キー入力部５０ｃは、電子機器５０の入力デバイスであり、操作者によるキー入力操作を受け付ける。マイク入力部５０ｄは、同じく電子機器５０の入力デバイスであり、操作者による音声入力操作などを受け付ける。表示部５０ｅは、電子機器５０の表示出力デバイスであり、コントローラ５０ａの制御に基づき、表示情報の出力を行う。
【００５６】
そして、音響発生器１は、電子機器５０における音響出力デバイスとして動作する。なお、音響発生器１は、電子回路６０のコントローラ５０ａに接続されており、コントローラ５０ａによって制御された電圧の印加を受けて音響を発することとなる。
【００５７】
なお、図９では、電子機器５０が携帯用端末装置であるものとして説明を行ったが、電子機器５０の種別を問うものではなく、音響を発する機能を有する様々な民生機器に適用されてよい。たとえば、薄型テレビやカーオーディオ機器は無論のこと、音響を発する機能を有する製品、例を挙げれば、掃除機や洗濯機、冷蔵庫、電子レンジなどといった種々の製品に用いられてよい。
【００５８】
本例の電子機器５０によれば、音質の向上した音響発生器１を用いて構成されていることから、高音質の電子機器を得ることができる。
【００５９】
次に、音響発生器を搭載した携帯端末について説明する。
【００６０】
本例の携帯端末は、図９に示すように、音響発生器１と、音響発生器１に接続された電子回路６０と、電子回路６０および音響発生器１を収容する筐体４０と、ディスプレイとを備え、音響発生器１から音響を発生させる機能を有する。
【００６１】
すなわち、上述の電子機器５０において、図９に示す表示部５０ｅとして、画像情報を表示する機能を有する表示装置であるディスプレイを備えた構成のものが本例の携帯端末である。例えば、液晶ディスプレイおよび有機ＥＬディスプレイ等の既知のディスプレイを好適に用いることができる。なお、ディスプレイは、タッチパネルのような入力装置を有するものであっても良い。
【００６２】
ここで、筐体４０に音響発生器１を接合するための接合部材としては、少なくとも一部に粘弾性体を含む接合部材である。この接合部材は粘弾性体のみからなる単一のものであっても、粘弾性体を含むいくつかの部材からなる複合体であっても構わない。このような接合部材としては、例えば不織布等からなる基材層の両面に粘着剤が付着された両面テープ等を好適に用いることができる。接合部材の厚みは、例えば０．１ｍｍ〜０．６ｍｍに設定される。
【００６３】
電子回路６０としては、例えば、ディスプレイに表示させる画像情報や携帯端末によって伝達する音声情報を処理する回路や、通信回路等が例示できる。これらの回路の少なくとも１つであってもよいし、全ての回路が含まれていても構わない。また、他の機能を有する回路であってもよい。さらに、複数の電子回路を有していても構わない。なお、電子回路と音響発生部とは接続用配線で接続されている。
【００６４】
筐体４０の一部がディスプレイであってもよく、筐体４０の一部がディスプレイのカバーとなってその内側にディスプレイが配置されたものであってもよい。
【００６５】
なお、携帯端末は、アンテナなどを介してデータの送受信などを行う通信手段（通信部）を有しているものである。たとえば、スマートフォンに代表される携帯電話や、タブレットＰＣ、ノート型ＰＣと言ったモバイル機器、ゲーム機などが挙げられる。
【００６６】
このような携帯端末は、音質の向上した音響発生器１を用いて構成されていることから、高音質の携帯端末を実現できる。
【符号の説明】
【００６７】
１  音響発生器
１１  圧電素子
１１ａ、１１ｂ、１１ｃ、１１ｄ  圧電体層
１１ｅ  内部電極層
１１ｆ、１１ｇ  表面電極層
１１ｈ、１１ｉ  外部電極
１２  振動板
１３  枠体
１３１  一方主面側枠部材
１３１１  一方主面側第１枠部材
１３１２  一方主面側第２枠部材
１３１３  一方主面側第３枠部材
１３１４  一方主面側第４枠部材
１３２  他方主面側枠部材
１３２１  他方主面側第１枠部材
１３２２  他方主面側第２枠部材
１３２３  他方主面側第３枠部材
１３２４  他方主面側第４枠部材
１４  樹脂層
１５  配線部材
２０  音響発生装置
３０、４０  筐体
５０    電子機器
５０ａ  コントローラ
５０ｂ  送受信部
５０ｃ  キー入力部
５０ｄ  マイク入力部
５０ｅ  表示部
５０ｆ  アンテナ
６０    電子回路
【図１】
2015185967.tif 000003
【図２】
2015185967.tif 000004
【図３】
2015185967.tif 000005
【図４】
2015185967.tif 000006
【図５】
2015185967.tif 000007
【図６】
2015185967.tif 000008
【図７】
2015185967.tif 000009
【図８】
2015185967.tif 000010
【図９】
2015185967.tif 000011